(57)【特許請求の範囲】
【請求項１】
用途が異なる複数の筆を一時載せ置く筆置き本体（Ｄ）の内部形状を半円筒型からなる船底形状とし、筆置き本体（Ｄ）の長手方向に直交させて差し渡した軸受けプレート（Ａ）上の連続凹部に筆の肩部を載せ置く筆置き台において、本体（Ｄ）長手方向に直交させて差渡した押えプレート（Ｂ）と軸受プレート（Ａ）とが、筆置き本体（Ｄ）の長手方向両壁に施された溝加工（Ｈ）に連続して組み込まれ、本筆置き（Ｄ）長手方向の所定範囲を相互に自在可動することを特徴とする筆置き。
【発明の詳細な説明】
【技術分野】
【０００１】  水墨画及び水彩画の創作用具であり用途が異なる使用中の筆を一時的に載せ置く台とその収納に関する。
【背景技術】
【０００２】  水墨画や水彩画等の創作時に複数の筆を使い分ける際、用途の異なる絵の具や墨を他に付けない様に細心の注意を払うことは当然ながら、創作に熱中するあまり不注意から脇に載せ置いた筆で周囲を汚し、その後始末に多くの手間と時間を取られ、また、載せ置いた筆に他の色が付着したことを気付かないまま使ってしまいその手直しに苦慮する事も多く、特に不慣れな初心者にとっては、これらの失敗が習い事に共通する上達以前の悩みでもあり、その基本所作自体を習得技術の有無と見なされ評価される。
しかし、使用途中の筆休めスペースや用具及びその作業要領については、古今東西、技量を問わず個々に工夫がなされてきたことも事実といえる。【０００３】  そこで、その使用中筆の一時載せ置き台に係る問題の解決を図り、創作に集中できる環境と利便性を求めて次の様な工夫考案がなされ開示されている。
特許文献１（特開２００３−３４１２８２）
絵筆をそれぞれ隔離し軟固定する凹凸を備えたパレット。
特許文献２（特開２００２−２３４２９４）
凹状の筆置き台を備え、折り畳み可能な携帯用絵筆置き。
特許文献３（特開２００１−１０４１２９）
筆先を持ち上げ離間して据え置く台を備えた、硯入れ兼用の書道用具箱。
特許文献４（特開２００５−５３２０１）
大小の孔を先細りとなる傾斜をつけて穿ち、扇状に差し立てる。
以上、文献１，２，３に共通する課題解決法は、一時載せ置く筆の穂先を他と隔離する際に筆軸が転ばないよう波状の凹部に筆の肩部分を載せ掛け、穂先を接触させない所定の間隔を要して横に平行に並べ置く方法がとられており、また、文献４に関しては扇状になる様に傾斜をつけた複数の縦孔に筆尻を差し込んで立て置く方法が取られている。【０００４】  しかし、上記の文献に開示されている筆を立て込む方法や横に据え置く方法で各穂先を完全隔離するには、軸の大小と共に筆先の形状も様々で軸より穂先が膨らんでいる形状の筆もあり、軸受け凹部同士や筆軸を立て置く孔の形状を使用筆軸の最小から最大径を適用範囲として設定をしなければならず、対応筆数によっては相応のスペースを要することになる。
また、使用後に洗浄済み筆の乾燥を兼ねて横に並べ置くことや孔に差し込んで立て置くことを想定した場合は、その放置場所の選定などの一時収納と整理保管に課題を残すことになる。
【発明の開示】
【発明が解決しようとする課題】
【０００５】  そこで、筆置き自体がスペースを取らず、無作為に据え置かれた場合でも筆の穂先が放射状に展開され、筆先個々が十分な間隔を有して隔離固定される機能を有し、縦置きの掛け下げ状態時もその扇形状が維持固定され、壁掛け乾燥による整理を可能とし、また、筆置き本体内に収納された筆先が被覆保護される構造とすることで、整理保管の容易さに加え携帯移動時の穂先損傷に対する保護機能を有する等、複数の利便性を備えた筆置きを提供する。
【課題を解決するための手段】
【０００６】  本願の筆置きを兼ねた筆収納具（以下、「本筆置き」という）は、本筆置き本体Ｄの内部形状が半円筒型からなる船底形状をなし、その両端に半月状の隔壁Ｅを備え、筆先側となる端部に掛け下げ用のフックあるいは紐Ｊを取り付け、本体Ｄの手元を筆軸の尻手側（以下、「筆尻」という）とし、手元側の隔壁Ｅから筆先方向への任意位置に帯状からなる固定プレートＣを本体に差し渡した蓋状に固定し、それに続く押えプレートＢと軸受けプレートＡとの順に３体の帯状プレート（Ａ，Ｂ，Ｃ）を備え、これらは何れも本筆置き本体Ｄの長手方向に直交させて差し渡されており、更に本体Ｄ長手方向両壁の所定範囲に施された溝加工Ｈに、押えプレートＢと軸受けプレートＡ（以下、「両移動プレート」という）とが可動自在に連続して組み込まれている。図１参照【０００７】  本筆置き本体Ｄ内部の収納形状を半円筒型からなる船底形状とすることにより、軸受けプレートＡ上の凹部に筆軸の肩部を捕捉され載せ置かれた筆Ｌの筆尻部が、船底形状の特性により押えプレートＢ下の本体Ｄ底部に集約される結果となり、一方の軸受けプレートＡ上の連続凹部に肩部を捕捉された複数の穂先が必然的に放射形状をなし、筆先個々が扇状に展開され十分な間隔を有して穂先の隔離がなされる。図１参照【０００８】  尚、置き筆Ｌの載せ置き台となる軸受けプレートＡ上に筆軸の捕捉として施される連続凹形状は、本体Ｄ底辺部の筆尻集約位置を要とする扇形状に即応する所定の傾斜形状と間隔を有しており、また、その両移動プレート（Ａ，Ｂ）間の任意調整によって載せ置かれる複数筆先の放射広角が定まり、軸受けプレートＡと置き筆Ｌ軸の首部が離間されて生じる摘まみ代の程度も左右される。【０００９】  よって、請求項１に記載するように押えプレートＢ及び軸受けプレートＡを、本筆置き長手方向両壁の所定範囲に施された溝加工Ｈに、本体中間部より筆先方向へ押えプレートＢに続く軸受けプレートＡの順に連続して可動自在に組み込み、その長手方向に沿って自在移動をなす両移動プレート（Ａ，Ｂ）間に置き筆Ｌの筆軸を差し込み、軸受けプレートＡ上の凹部に筆軸の肩部を載せ置く際、その両移動プレート（Ａ，Ｂ）間の間隔によって筆先の開放角度が任意に調整されると共に、その筆軸に対し押えプレートＢを支点として軸受けプレートＡと本体Ｄ底辺部とに梃子作用が働き、軸受けプレートＡ上に載せ置かれた置き筆Ｌは任意位置で固定される。図１参照【００１０】  上述する機能を活用した一時筆置き時の両移動プレート（Ａ，Ｂ）の有効操作位置は、軸受けプレートＡを溝加工Ｈの本体Ｄ筆先側の終点位置まで移動させ、軸受けプレートＡ上の凹部に置き筆Ｌの肩部を捕捉させ、押えプレートＢを軸受けプレートＡ方向へ移動させることで両移動プレート（Ａ，Ｂ）間に筆軸が挟持され、軸受けプレートＡ上の置き筆Ｌは上述する梃子作用で穂先を扇状に展開した状態で固定される。【００１１】  また、本筆置きを乾燥補助具として掛け下げ使用する際の両移動プレート（Ａ，Ｂ）の操作位置は、手元側へ引き戻した押えプレートＢと軸受けプレートＡとの間に洗浄済み筆を差し挟み、筆軸を挟持した状態で掛け下げた場合に軸受けプレートＡが自重によって下方へ移動し、両移動プレート（Ａ，Ｂ）間の筆軸を上から外方向へ圧接することになり、それを受ける押えプレートＢを支点として本体Ｄ底辺部とに梃子作用が働き、複数の筆を扇状に隔離固定した状態で掛け下げ乾燥ができる。【００１２】  尚、筆を本筆置き本体Ｄ内へ収納する場合は、本体Ｄ手前の半月状隔離壁Ｅに筆尻を揃えることで帯状の固定プレートＣにて筆軸手元側が被覆収納され、同じく帯状からなる押えプレートＢを手元側へ移動させることで筆先部が押えプレートＢによって被覆保護され、整理保管時や携帯時の穂先保護機能を発揮する。
【発明の効果】
【００１３】  本筆置きが縦長の細身形状で場所を取らず整理が安易であり、置き筆の処置に苦慮することなく創作に専念する事が出来ることに加え、両移動プレート（Ａ，Ｂ）の本筆置き長手方向への溝加工Ｈによるスライド機能によって、使用後の洗浄済み穂先を扇状に固定したまま掛け下げての乾燥保管が可能となり、また、整理収納時の保管と携帯移動時の穂先保護についても信頼が得られる。
【発明を実施するための最良の形態】
【００１４】  各プレート（Ａ，Ｂ，Ｃ）との相互間隔と両移動プレート（Ａ，Ｂ）の本筆置き長手方向への有効可動範囲として、固定プレートＣと押えプレートＢとの最短距離を、押えプレートＢによる収納筆Ｋの筆先部の被覆可能な範囲とし、一時置き筆Ｌ使用中の固定プレートＣと押えプレートＢとの有効距離は、収納筆Ｋの出し入れを妨げない所定の間隔を要し、且つその置き筆Ｌ使用時の両移動プレート（Ａ，Ｂ）間の最長距離を、使用筆の平均全長の半分程度を所定間隔として設定する。図１参照【００１５】  本筆置きの試作実証にあたっては、両端部に隔壁Ｅとして節を残した竹材（真竹）の半割り加工したものを本筆置きの本体とし、各プレート（Ａ，Ｂ，Ｃ）及び付設部材を木製加工として、その接続に竹釘を用いるなど全体に和風の雰囲気を演出し、且つ環境保護を考慮した自然素材のみで構成されており、本体Ｄ外部の底辺接地面を据わり加工Ｇの平面形状として本体Ｄの安定性を確保している。図１参照
しかし、本発明の機能主旨を遵守し構造と利便性を求める条件下においは、本筆置きを構成する素材を特定するものではない。【００１６】  尚、本筆置き本体内に整理収納する筆の肩部と本体Ｄ底面とが接触する所定位置に、その船底形状に倣った形状加工による隔離パッキンＦを付設し、収納筆Ｋの穂先部を本体底辺部から離間させることで、使用後の洗浄済穂先を収納する場合でも本体底辺部を濡らすことがなくなり、また、軸受けプレートＡへの置き筆Ｌ時にその筆尻による収納筆Ｋの穂先損傷が防止されることに加え、筆先が底辺部と離間されて取り出し時の摘み代が確保されることや、筆先部が高くなるため不用意操作による鞘走りで筆先損傷に関する懸念が払拭される等、複数の更なる利便機能が付加される。図１参照
【図面の簡単な説明】
【００１７】
【図１】本筆置きの使用イメージ図
【符号の説明】
【００１８】  Ａ  軸受けプレート
Ｂ  押さえプレート
Ｃ  固定プレート
Ｄ  筆置き本体
Ｅ  半月状隔壁
Ｆ  隔離パッキン
Ｇ  平面据わり加工
Ｈ  溝加工
Ｉ  放射凹加工
Ｊ  下げ紐
Ｋ  収納筆
Ｌ  置き筆
【要約】
【課題】  水墨画及び水彩画の創作時に用途の異なる筆を一時的に載せ置く際、筆先方向が扇状となり穂先個々が十分に隔離され、収納保管時は穂先保護を容易とする筆置きを提供する。
【解決手段】  筆置き本体の形状を半円筒型からなる船底形状とし、その長手方向と直交する帯状プレート（Ａ，Ｂ，Ｃ）が本体に差し渡して付設され、本体Ｄの手元側より固定プレートＣに続く押えプレートＢと軸受けプレートＡとが、筆置き本体（Ｄ）の長手方向両壁に施された溝加工（Ｈ）に連続して可動自在に付設され、軸受けプレートＡ上に載せ置かれた複数の置き筆Ｌの筆尻部が本体Ｄの半円形状からなる底辺部に集約されて、必然的に軸受けプレートＡ上の連続凹部に捕捉された置き筆Ｌの穂先部が扇状に展開される。
また、両移動プレート（Ａ，Ｂ）のスライド機能により、その両プレートとに挟持された穂先は十分に隔離された状態で任意固定され、押さえプレートＢの移動により本体内に収納される筆先部が被覆され携帯移動時の穂先保護機能を発揮する。
【選択図】図１【図１】
0004288682.tif 000002